(57)【要約】【課題】パネル画質検査装置でカラービデオカメラの出力映像信号Ｒ、Ｇ、Ｂを元に計算処理して求める色度輝度測定において、該色度輝度測定値のバラツキが大きい場合があり、その結果、蛍光体塗布状態の検査で良品を不良品と判定したり、不良品を良品と判定したりする虚報が発生する場合がある。本発明は前記計算処理における色度輝度測定精度を向上させ、虚報の少ないパネル画質検査装置を提供することを目的とする。【解決手段】本発明は上記の目的を達成するため、カラービデオカメラの出力映像信号レベルＲ、Ｇ、Ｂと所定定数行列Ａとにより三刺激値を求める測定段階前の、前記所定定数行列Ａを求める校正段階において、各色毎に色度分布上の所定の範囲を複数ポイントで表わし、該複数ポイントを元に色度輝度測定時の所定定数行列Ａを求めるようにしたものである。【選択図】　図１
2004120393.tif 000002
【特許請求の範囲】
【請求項１】
測定対象物の色度輝度を測定し、前記測定対象物の蛍光体塗布ムラをカラービデオカメラを用いて検査するパネル画質検査装置の色度輝度測定校正方式において、前記測定対象物を赤色、緑色、青色、白色に発光させる段階で、各色の色度分布で所定範囲を複数の色度ポイントを設けて構成し、該色度ポイントに対応して複数の同一系の色で発光させる段階と、該発光状態を色度輝度測定器で色度輝度を実測する段階と、前記発光状態をカラービデオカメラで撮像して映像信号を得る段階とで構成し、カラービデオカメラから得る映像信号だけで色度輝度測定を行うための色度輝度変換の所定定数を求める段階とを有することを特徴とするパネル画質検査装置の色度輝度測定校正方式。
【発明の詳細な説明】
【０００１】
【発明の属する技術分野】
本発明は、例えばプラズマディスプレイ等に用いられる蛍光体の塗布状態を検査するため、カラービデオカメラを用いたパネル画質検査装置の色度輝度測定における校正方式に関するものである。
【０００２】
【従来の技術】
従来技術の例えば、プラズマディスプレイの蛍光体塗布状態を検査するためにカラービデオカメラを用いたパネル画質検査装置のカラービデオカメラ受光特性を校正する方式について図３を使用して説明する。
図３（ａ）は測定対象物の蛍光体塗布状態を検査する場合のパネル画質検査装置のカラービデオカメラ受光特性を校正する際の主要機器接続図を示したもので、図３（ｂ）は前記校正終了後の測定対象物の蛍光体塗布状態を検査する際の主要機器接続図を示したものである。
【０００３】
１１は測定対象物、例えば、プラズマディスプレイで、１２は前記測定対象物１１の蛍光体塗布状態を、蛍光体を発光させて撮像するカラービデオカメラで、１３は前記同様測定対象物１１を発光させて前記測定対象物１１の色度と輝度を測定する色度輝度測定器で、１４はパネル画質検査装置である。前記カラービデオカメラ１２と色度輝度測定器１３は前記測定対象物１１の複数の所定検査位置に正対するように配置される。
【０００４】
測定対象物１１、例えばプラズマディスプレイ全体面を赤色（以下、Ｒと表記する）、緑色（以下、Ｇと表記する）、青色（以下、Ｂと表記する）、白色（以下、Ｗと表記する）と順次発光させ、各色発光時の色度（ｘ、ｙ）、輝度（Ｙ）を色度輝度測定器１３にて測定し、該測定結果をパネル画質検査装置１４へ出力する。また、同時にカラービデオカメラ１２にて、測定対象物１１の各色発光時の状態を受光して光を映像信号に変換してＲ、Ｇ、Ｂの映像信号としてパネル画質検査装置１４へ出力する。
【０００５】
ここで、色度（ｘ、ｙ）、輝度（Ｙ）と、色の三刺激値（Ｘ、Ｙ、Ｚ）との間に数１に示す関係式が成り立つことが知られている。
【０００６】
【数１】
2004120393.tif 000003
また、前記カラービデオカメラ１２の出力であるＲ、Ｇ、Ｂの映像信号レベル値と色の三刺激値（Ｘ、Ｙ、Ｚ）との間には数２に示す関係の行列式が成り立つことが知られている。ここで、数２の式のＡは所定の定数行列で、カラービデオカメラ１２の３色の受光特性を補正するためのもので数３に示すような所定の
2004120393.tif 000004
３×３の定数行列で表されることが知られている。
【０００７】
【数２】
2004120393.tif 000005
【０００８】
【数３】
2004120393.tif 000006
パネル画質検査装置１４では、前記測定対象物１１の各色発光時の色度輝度測定器１３からの色度、輝度情報と、同様に各色発光時の状態をカラービデオカメラ１２で受光して得られるＲ、Ｇ、Ｂの映像信号のレベル情報とから以下の処理を行う。
【０００９】
各色発光時に色度輝度測定器１３で測定した実際の色度（ｘ、ｙ）、輝度（Ｙ）情報を、数１の式を変形して代入し、実際の三刺激値（Ｘ、Ｙ、Ｚ）を求める。
即ち、
測定対象物１１が赤色発光時の色度輝度測定器１３で測定した実際の色度（ｘ、ｙ）、輝度（Ｙ）情報を、数１の式を変形して代入し、三刺激値（Ｘｒ、Ｙｒ、Ｚｒ）をパネル画質検査装置１４で計算処理にて求める。同様に、
測定対象物１１が緑色発光時の色度輝度測定器１３で測定した実際の色度（ｘ、ｙ）、輝度（Ｙ）情報を、数１の式を変形して代入し、三刺激値（Ｘｇ、Ｙｇ、Ｚｇ）をパネル画質検査装置１４で計算処理にて求める。同様に、
測定対象物１１が青色発光時の色度輝度測定器１３で測定した実際の色度（ｘ、ｙ）、輝度（Ｙ）情報を、数１の式を変形して代入し、三刺激値（Ｘｂ、Ｙｂ、Ｚｂ）をパネル画質検査装置１４で計算処理にて求める。同様に、
測定対象物１１が白色発光時の色度輝度測定器１３で測定した実際の色度（ｘ、ｙ）、輝度（Ｙ）情報を、数１の式を変形して代入し、三刺激値（Ｘｗ、Ｙｗ、Ｚｗ）をパネル画質検査装置１４で計算処理にて求める。
【００１０】
次に、各色発光時のカラービデオカメラ１２の出力映像信号Ｒ、Ｇ、Ｂレベルをパネル画質検査装置１４で保存する。
測定対象物１１が赤色発光時のカラービデオカメラ１２の出力映像信号レベルをＲ、Ｇ、Ｂ成分毎にＲｒ、Ｇｒ、Ｂｒとし、
測定対象物１１が緑色発光時のカラービデオカメラ１２の出力映像信号レベルをＲ、Ｇ、Ｂ成分毎にＲｇ、Ｇｇ、Ｂｇとし、
測定対象物１１が青色発光時のカラービデオカメラ１２の出力映像信号レベルをＲ、Ｇ、Ｂ成分毎にＲｂ、Ｇｂ、Ｂｂとし、
測定対象物１１が白色発光時のカラービデオカメラ１２の出力映像信号レベルをＲ、Ｇ、Ｂ成分毎にＲｗ、Ｇｗ、Ｂｗとし、パネル画質検査装置１４で保存する。
【００１１】
前述で求めた各色発光時の三刺激値とカラービデオカメラ１２の出力映像信号レベルを数２の式を変形して代入することにより夫々の場合の所定定数行列Ａｒ、Ａｇ、Ａｂ、Ａｗを、更に二乗平均処理をして１つの所定定数行列Ａを求める。ここまでが校正段階である。
【００１２】
以降は測定段階に入る。該測定段階では、図３（ｂ）に示すように色度輝度測定器１３をパネル画質検査装置１４から接続を外して、各色発光時のカラービデオカメラ１２の出力であるＲ、Ｇ、Ｂの映像信号レベルと前述で求めた所定定数行列Ａとから、パネル画質検査装置１４内で前記数２の式により三刺激値を求め、該三刺激値から前記数１の式により色度（ｘ、ｙ）輝度（Ｙ）を計算処理で求め、該色度輝度値から前記同一測定対象物１１の複数箇所の蛍光体塗布状態のムラを検査したり、複数枚の検査をするようにしていた（文献公知発明に係るものではない。）。
【００１３】
【発明が解決しようとする課題】
前述の従来技術では、パネル画質検査装置でカラービデオカメラの出力映像信号Ｒ、Ｇ、Ｂを元に計算処理して求める色度輝度測定において、該色度輝度測定値のバラツキが大きい場合があり、その結果、蛍光体塗布状態の検査で良品を不良品と判定したり、不良品を良品と判定したりする虚報が発生する場合がある。本発明は前記計算処理における色度輝度測定精度を向上させる校正方式を確立し、虚報の少ないパネル画質検査装置を提供することを目的とする。
【００１４】
【課題を解決するための手段】
本発明は上記の目的を達成するため、カラービデオカメラの出力映像信号レベルＲ、Ｇ、Ｂと所定定数行列Ａとにより三刺激値を求める測定段階前の、前記所定定数行列Ａを求める校正段階において、各色毎に色度分布上の所定の範囲を複数ポイントで表わし、該複数ポイントを元に色度輝度測定時の所定定数行列Ａを求めるようにしたものである。
【００１５】
【発明の実施の形態】
従来技術の色度輝度測定における色度輝度データのバラツキ発生の要因は、前記数２の行列式の所定定数行列Ａ求める計算処理において、該所定定数行列Ａに含まれている誤差が起因しているもので、該誤差を小さくすることで、色度輝度測定の色度輝度データのバラツキが抑えられることになる。
【００１６】
本発明の一実施例として、数１の行列式の所定定数行列Ａを算出する手段を改善する方法について説明する。
図４（ａ）はカラービデオカメラ１２の受光特性を、図４（ｂ）は色度輝度測定器１３の受光特性を夫々示したものである。同図をみると夫々の特性が近似していることがわかる。また、プラズマディスプレイ等の表示器は、図５に示すように赤（Ｒ）、緑（Ｇ）、青（Ｂ）の各色の発光特性を混色して、色表示表現を行うため、赤（Ｒ）、緑（Ｇ）、青（Ｂ）及び白色と発光させて色度輝度変化を測定することは表示器の評価や検査を行う手段として有効である。
【００１７】
そこで、従来、測定対象物１１を赤（Ｒ）、緑（Ｇ）、青（Ｂ）及び白色と発光させて、夫々の発光時に対応した１つの所定定数行列Ａを計算処理で求めて、三刺激値を求めていたが、夫々の赤（Ｒ）に対する所定定数行列Ａｒ、緑（Ｇ）に対する所定定数行列Ａｇ、青（Ｂ）に対する所定定数行列Ａｂ及び白色に対する所定定数行列Ａｗを夫々個別に計算処理で求める上で、各色の色度分布の代表の１ポイントから求めるのではなく、各色毎に複数ポイント例えば５ポイントの色度分布から前述の各色対応の所定定数行列Ａを求めるようにすることで、前述の図４（ａ）に示すカラービデオカメラ１２の受光特性を図４（ｂ）に示す色度輝度測定器１３の受光特性により近似させることができる。
図２のように色の色度は色度ｘと色度ｙ軸上に図のように分布することが知られている。図２のように赤色、緑色、青色の色度が分布し、そのほぼ中央に白色の色度が分布している。６は緑色周辺の色度分布、７は青色周辺の色度分布、８は赤色周辺の色度分布、９は白色周辺の色度分布を夫々示している。
【００１８】
本発明では、前記各色の色度周辺分布の複数ポイントを前記所定定数行列Ａ算出の対象とするようにしたものである。
例えば、緑色発光の場合に対して、緑色に対する所定定数行列Ａｇを算出する場合について図１を使って説明する。なお、他の赤色、青色、白色の発光の場合も同様である。図１（ａ）は測定対象物１１を少しずつ違う緑色に発光させた場合の波長の変化を示したもので、図１（ｂ）は同図（ａ）を色度分布に表現したものである。色度変化は図１（ａ）に示すように測定対象物１１の発光特性における主波長成分での変化によるものがほとんどであると考えられる。図１（ｂ）で、同図が示すように所定の領域内即ち緑色周辺の色度分布６の範囲での変化に限定する。図１（ｂ）に示す色度分布（ｘ、ｙ）において、ポイント１〜５は同図（ａ）の波長変化に対応している。例えばポイント５が緑色の代表的なポイントで、ポイント２が緑色の中でも最も赤色がかった緑色で、ポイント３は最も青色がかった緑色である。
【００１９】
次に、各色対応の所定定数行列Ａを求める方法について説明する。
例えば、緑色発光の場合について図１の各ポイントに対応して測定対象物１１の図示しないドライブ回路においてＲ、Ｇ、Ｂの発光割合を制御し測定対象物１１を発光させる。その状態を従来技術と同様に色度輝度測定器１３で実際の色度輝度を測定し、該色度（ｘ、ｙ）輝度（Ｙ）データをパネル画質検査装置１４へ入力する。また、カラービデオカメラ１２で撮像して映像信号レベルＲ、Ｇ、Ｂをパネル画質検査装置へ入力する。
【００２０】
パネル画質検査装置１４での計算処理方法は従来技術で説明した内容と同じで、上記色度輝度測定器１３からの実測色度（ｘ、ｙ）輝度（Ｙ）データとカラービデオカメラ１２からの映像信号レベルＲ、Ｇ、Ｂを前記数１と数２の式を用いて以下の計算処理をパネル画質検査装置１４で実施する。
ポイント１の三刺激値Ｘｒ１、Ｙｒ１、Ｚｒ１とカラービデオカメラ１２出力の映像信号レベルをＲ、Ｇ、Ｂ成分毎にしたＲｒ１、Ｇｒ１、Ｂｒ１と
ポイント２の三刺激値Ｘｒ２、Ｙｒ２、Ｚｒ２とカラービデオカメラ１２出力の映像信号レベルをＲ、Ｇ、Ｂ成分毎にしたＲｒ２、Ｇｒ２、Ｂｒ２と
ポイント３の三刺激値Ｘｒ３、Ｙｒ３、Ｚｒ３とカラービデオカメラ１２出力の映像信号レベルをＲ、Ｇ、Ｂ成分毎にしたＲｒ３、Ｇｒ３、Ｂｒ３と
ポイント４の三刺激値Ｘｒ４、Ｙｒ４、Ｚｒ４とカラービデオカメラ１２出力の映像信号レベルをＲ、Ｇ、Ｂ成分毎にしたＲｒ４、Ｇｒ４、Ｂｒ４と
ポイント５の三刺激値Ｘｒ５、Ｙｒ５、Ｚｒ５とカラービデオカメラ１２出力の映像信号レベルをＲ、Ｇ、Ｂ成分毎にしたＲｒ５、Ｇｒ５、Ｂｒ５とから各ポイントでの前記所定定数Ａｒ１〜５を求め、更に該所定定数行列Ａｒ１〜５の二乗平均処理をして最終的な赤色での所定定数行列Ａｒを求めることで、即ち、測定対象物１１の蛍光体塗布状態の違いで生じる赤色発光でも少しずつ違う赤色発光することを近似するために、赤色の色度の複数ポイントで範囲を限定して測定対象物１１を発光させ、色度輝度測定器１３で実測したと同じように色度、輝度データが得られるようにカラービデオカメラ１２の受光特性の校正を行うことができる。
【００２１】
このようにして、図４（ａ）に示すカラービデオカメラ１２の受光特性を図４（ｂ）に示す色度輝度測定器１３の受光特性の赤色、緑色、青色の限定された波長領域に極力近づけるべく前記所定定数行列Ａ求めて色度輝度測定をすることで、色度輝度測定精度を向上させることができる。
【００２２】
【発明の効果】
従来、色度輝度測定にバラツキがあり、例えばプラズマディスプレイ等の表示器の生産ロット毎や虚報率が高くなってきたりする毎に、従来の校正をし直す必要があり、該校正をしない場合は自動検査において虚報が多発していたが、本発明によれば前述の校正し直しの必要性がなく、色度輝度測定においてバラツキが抑えられ、色度輝度測定による蛍光体の塗布状態自動検査における虚報発生率を大幅に低下させ、自動検査の信頼性を向上することができる。
【図面の簡単な説明】
【図１】本発明の一実施例の方法を示す概念図
【図２】色の色度分布例を示す図
【図３】パネル画質検査の主要機器接続図
【図４】カラービデオカメラと色度輝度測定器の受光特性例を示す図
【図５】測定対象物の赤色、緑色、青色の発光特性と混色発光特性例を示す図
【符号の説明】
１：緑色の色度ポイント１、２：緑色の色度ポイント２、３：緑色の色度ポイント３、４：緑色の色度ポイント４、５：緑色の色度ポイント５、６：緑色周辺の色度分布、７：青色周辺の色度分布、８：赤色周辺の色度分布、９：白色周辺の色度分布、１１：測定対象物、１２：カラービデオカメラ、１３：色度輝度測定器、１４：パネル画質検査装置
【図１】
2004120393.tif 000007
【図２】
2004120393.tif 000008
【図３】
2004120393.tif 000009
【図４】
2004120393.tif 000010
【図５】
2004120393.tif 000011